【事件の表示】
　　上記当事者間の特許第１６４３０１１号発明「ぜんまいの綿取り揉捻方法」の特許無効審判事件について、次のとおり審決する。
【結論】
　　本件審判の請求は、成り立たない。
　　審判費用は、請求人の負担とする。
【理由】
Ｉ．本件特許の手続の経緯及び要旨
　本件特許第１６４３０１１号発明（以下「本件発明」という。）は、昭和５７年３月２６日に出願された特願昭５７−４９８９６号の一部を、昭和６０年４月２０日に特許法第４４条第１項の規定により分割した新たな出願である特願昭６０−８４７６９号について、平成１年７月２６日に出願公告（特公平１−３５６２８号）がされた後、平成４年２月２８日に設定の登録がなされたもので、その発明の要旨は、明細書及び図面の記載からみて、その特許請求の範囲に記載されたとおりの「通気可能な回転体に遊動空間を残してぜんまいを収納し、回転体の回転速度をぜんまいが遠心力により回転体上部まで上がり落下することを繰返す速度に制御することによりぜんまいの綿取りと揉捻を行うようにしたことを特徴とするぜんまいの綿取り揉捻方法。」にあるものと認める。
ＩＩ．請求人の主張及び提示した証拠方法
１．主張
　これに対し、請求人の主張の概要は、本件発明の登録は、以下の理由（１）、（２）により、特許法第１２３条第１項の規定により無効とされるべきであるというものである。
　（１）本件発明は、甲第１号証あるいは甲第２号証に記載された発明及び日本国内で公然実施された発明より当業者が容易に発明をすることができたものに相当し、本件特許は、特許法第２９条第２項の規定に違反してされたものである。
　（２）本件特許明細書の特許請求の範囲は、発明の構成に欠くことのできない事項のみを記載したものということができず、本件特許は、特許法第３６条第４項に規定する要件を満たしていない特許出願に対してされたものである。
２．証拠方法
　そして、請求人が上記主張事実を立証するために提示した証拠方法は、以下のとおりである。
甲第１号証：特開昭５５−４８３４８号公報
甲第２号証：昭和５５年８月１０日　静岡県茶業会議所編集・発行「新茶業全書」２５０〜２５２頁
甲第３号証：昭和５５年８月１０日　静岡県茶業会議所編集・発行「新茶業全書」６００〜６０３、６０４〜６０８頁
甲第４号証：下村　皖徹の署名、捺印した証明書
甲第５号証　小笠原　茂樹の署名、捺印した証明書
証人　　　　高知県長岡郡大豊町岩原６９７　下村　皖徹
証人　　　　高知県長岡郡大豊町岩原３８３　小笠原　茂樹
検証物（検甲１号証）：下村皖徹方ぜんまい加工場内に設置されている中揉機（６０Ｋ中揉機）
検証物（検甲２号証）：藤原操方ぜんまい加工場内に設置されている乾燥機（伊達式乾燥機）
３．甲各号証の記載事項
甲第１号証：
▲１▼「機枠に回転自在に支持させた円筒形茶葉揉乾胴の回転により茶葉を旋転しつつ該胴内を流通する熱風により乾燥する胴回転式の製茶中揉機において、該胴及び回転軸の回転数を通常の２〜２．５倍の高速回転とし、さらに該胴及び回転軸の回転数を通常の回転数まで変更できるものとすることを特徴とする製茶中揉機の製茶方法。」（特許請求の範囲第１項）
▲２▼「尚、図示してないがこの製茶中揉機には、揉乾胴２と回転軸３の回転変速装置が組み込まれ、通常の回転数（揉乾胴；２０ｒｐｍ前後；回転軸；３０〜４０ｒｐｍ）から通常の２〜２．５倍の回転数まで、２段階にあるいは多段階に変速される。揉捻機までの工程を終了した茶葉は茶葉投入シュート８から揉乾胴２中に投入される。揉乾胴２と、揉手４を装着した回転軸３の回転方向は同じであるが、回転軸３の回転数は揉乾胴２の１．５〜１．８倍であり、その差によって茶葉を揉捻する。揉乾胴２、回転軸３は、それぞれ通常の回転数の２〜３倍の高速回転をするので、投入された茶葉は、揉乾胴２の内面に適度に密接して旋転し、また揉乾胴２と回転軸３の回転数の差も２〜３倍となり十分に揉捻される。」（２頁左下欄５行〜右下欄２行）
▲３▼「尚、茶葉は揉乾胴２の高速回転によって受ける遠心力により、揉乾胴２の内面に密接して旋転されるが、適度に密接し旋転されるというのは、揉捻胴２の回転数が２０ｒｐｍ程の場合を示す第三図のように揉捻胴２の内面が下部に位置している間だけは茶葉がその内面に密接して旋回するが、その内面が頂部に達するまでに該茶葉がその内面から離れ落下してしまうのではなく、第四図に示すように揉乾胴２の内面が下部に位置するときも上部に位置するときも、茶葉のほとんどがその内面に密接して旋回し、該内面が頂部を通過してからいくらかの茶葉が該内面から若干離れて旋転し熱風にさらされるということであり、このような茶葉の動きを得るには、茶葉の葉型、質によって若干異なるが、揉乾胴２の回転数を、３５Ｋｇ処理型の場合は５０ｒｐｍ前後、６０Ｋｇ処理型の場合は４４ｒｐｍ前後、また１２０Ｋｇ処理型の場合は３８ｒｐｍ前後にするのが適切である。」（２頁右下欄６行〜３頁左上欄６行）
▲４▼「この発明では、機枠１に回転自在に支持させた円筒形茶葉揉乾胴２の回転により茶葉を旋転しつつ該胴２内を流通する熱風により乾燥する胴回転式の製茶中揉機において、該胴２及び回転軸３の回転数を通常の２〜２．５倍の高速回転としているので、投入された茶葉が高速回転によって生じる遠心力によって揉乾胴２の内面に密接して旋転し、回転軸３に装着された揉手４の下、すなわち揉手４と該内面の間に入いり易くなり、茶葉に葉型の大小や葉質の硬軟があっても揉捻が確実に行われ、茶葉の内部に潜む水分が茶葉の表面まで良くにじみ出て熱風にさらされ、上乾きが防止され乾燥の効率も良い。」（３頁左上欄７行〜右上欄２行）
▲５▼「さらに、揉乾胴２及び回転軸３の回転数を通常の回転数まで変更させ得るので、『深蒸し』でない茶を製造するにも障害がなく、」（３頁右上欄８〜１１行）
甲第２号証：
▲６▼「８．再乾機」と題し、「使用目的は中揉機と同じである。形は一種の回転乾燥機で、主要部は揉ねん葉を入れる横置短円筒形の容器である（写真３８）。この容器には、茶葉を容器の回転方向にある高さまで引き上げて混合するための″サン″があり、胴内面には竹製の″ダク″が中揉機同様内張りしてある。その他に、″サン″の代わりに着脱自在な数個の葉さばき″ヘラ″を使っているものもある。引き上げのための″サン″の高さは、２．５ｃｍ程度のものでよく、２〜３個が取り付けてある。本機の使用は、水分の少ないこわ葉を中火茶にするには適しているが、中揉機のもみ手を取りはずせばすむため、その使用は減った。なお、中揉、再乾の取り出し度は、微妙に茶の整形の良否、難易に影響するため、操作中の茶葉の一部を取り出して状態を点検するための窓がつけてある。」（２５１頁１６行〜２５２頁２行）
甲第３号証：
▲７▼高知県において、明治２５年から昭和５３年にかけてある程度の茶の生産量を有すること（６００頁〜６０３頁）、及び高知県は昭和５３年において９６の製茶工場を有すること（６０８頁）。
甲第４号証：
▲８▼下村皖徹の署名、捺印と共に、「私は、別紙１に撮影された製茶用中揉機（寺田式中揉機・・・型式ＮＣＡ−６０Ｋ）の中古品を、ぜんまい乾燥用として昭和５５年３月に川崎鉄鋼株式会社高知営業所より１台購入し、昭和５５年４月より、高知県長岡郡大豊町岩原６９７所在の下村皖徹の作業場において、同中揉機にてぜんまいの乾燥、揉捻及び綿取りに公然と使用していたことに相違ないことを証明いたします。」
甲第５号証：
▲９▼小笠原茂樹の署名、捺印と共に、「私は、別紙２に撮影された伊達式茶葉乾燥機の中古品１台を、ぜんまい乾燥用として徳島県在住の立道友景より昭和４５年３月に入手し、昭和４５年４月より、高知県長岡郡大豊町岩原３８３所在の小笠原茂樹の作業場において同乾燥機をぜんまいの乾燥、揉捻及び綿取り用に公然と使用していたことに相違ないことを証明いたします。」
４．証人尋問及び検証の結果認定される事実
　証人下村皖徹、同小笠原茂樹の各証言及び検証の結果を総合すると次の事実（ａ）〜（ｍ）が認められる。
（ａ）下村皖徹は、昭和５５年の春に、寺田式中揉機を入手し（証人下村皖徹の証人調書４４〜５６項）、ぜんまいの乾燥に用いたところ、ぜんまいの揉み及びゴミの除去もできたこと（同５７項）。
（ｂ）中揉機は、中のシャフトにぜんまいが巻き付かぬようとシャフトに木枠をつけ、揉み手をはずした状態で用いたこと（同５８〜６１項）。
（ｃ）中揉機の回転胴の回転数は変更する必要がなかったこと（同６２〜６３、７３項）。
（ｄ）ぜんまいは中揉機に半分以上空間部がある状態に入れ、回転をさせると遠心力によりぜんまいが舞い上がりおちたこと。１０時１０分から最大で１１時５分ぐらいで落ちる程度で使用したこと。（同６５〜６８、８８〜９２項）
（ｅ）中揉機は、下村皖徹方ぜんまい加工場において使用されており、その状態は特に秘密にされていなかったこと（同７４〜７５項）。
（ｆ）下村皖徹が中揉機を用いてぜんまいの乾燥を行っていることについては、業者仲間には知られていなかったこと（同７６〜７８項）
（ｇ）下村皖徹が使用した寺田式中揉機の構成は、フレーム、回転胴、ファン、駆動部及び熱交換機からなり、揉み手は外してあり、回転胴は開閉扉を設けた熱交換機からの熱風が通気可能なものであって、その回転数は２３〜２８回の範囲で変速できるものであること（同４４〜４８項及び検甲１号証の検証調書）。
（ｈ）小笠原茂樹は、昭和４４年に徳島県有瀬の「たてみち」という人物から、茶の乾燥機をぜんまいの乾燥に使えるのではないかとの話を聞いて、昭和４５年に、同人より中古の伊達式茶葉乾燥機を入手し、ゆでたぜんまいの乾燥に用いたこと（証人小笠原茂樹の証人調書１３〜２１項）。
（ｉ）ぜんまいを乾燥機の胴に下４分の１くらい収容し、熱風を供給し、ぜんまいを上方にまでかき上げ、約８割程度上がったところがら反対側の下の方へ落下させることを繰り返し、乾燥させたこと（同２４〜２９項）。
（ｊ）出来上がった乾燥ぜんまいの質については、仲買人から手揉みと変わらないといわれたこと（同３０項）。
（ｋ）乾燥につれてぜんまいの白い綿はぜんまいから離れてもつれ大小の玉ができたこと（同３１項）。
（ｌ）乾燥機は主に小笠原茂樹の自宅の軒下で用いており、それをぜんまいの乾燥に用いていることは特に秘密とはしていなかったこと（同３２〜３４、５４〜５５項）。
（ｍ）伊達式茶葉乾燥機の構成は、フレーム、回転胴、ファン、駆動部及び熱交換機からなり、回転胴は開閉扉を設けた熱風吹き込み口を有し、内側には竹だくが張設され、竹だくの上に２本の木製の桟が取り付けられているものであること（同１８、２２〜２４、３５〜３７項及び検甲２号証の検証調書）。
ＩＩＩ．被請求人の主張及び提示した証拠方法
　一方、被請求人は、本件審判の請求は成り立たない、審判費用は請求人の負担とする、との審決を求め、以下の証拠方法を提示している。
乙第１号証：伊達機販売株式会社の総合カタログ（中揉機部分）
乙第２号証：特許庁編「特許・実用新案審査基準」発明協会（「公然実施をされた発明」の部分）
乙第３号証：回転体半径、臨界回転数、遠心力の対比表
ＩＶ．理由（１）について
　次に、本件発明が甲第１又は２号証に記載された発明及び公然実施された発明から容易に発明をすることができたものであるか否かについて検討する。
１．甲第１号証の記載事項との比較・判断
（イ）対比
　甲第１号証には、前記記載事項▲１▼乃至▲５▼からみて、通気可能な回転体に遊動空間を残して茶葉を収納し、回転体の回転数と揉手を装着した回転軸の回転数との差により茶葉の揉捻を行い、回転体の回転速度が２０ｒｐｍ程の場合に、茶葉が回転体上部途中まで上がり落下する状態となることが一応記載されていると認められる。しかし、甲第１号証に示されているのは、回転軸に揉手を装着し、回転体の回転数と揉手を装着した回転軸の回転数との差により茶葉の揉捻を行う場合の状態であり、揉手を装備した回転軸は回転体よりも速い速度で回転し、揉手と回転体との間で茶葉を揉捻するものであるから、揉み手がない状態での茶葉の落下の状態を示すものであるとはいえないし、しかも、技術常識からみて、茶葉の落下状態はその量、含水量などの諸条件により異なってくるものであるから、甲第１号証には、前記諸条件に拘わらず、回転体の回転速度を茶葉が遠心力により回転体上部まで上がり落下することを繰返す速度に制御することが記載されているということはできない。
　そこで、本願発明を甲第１号証に記載された事項と比較すると、両者は、通気可能な回転体に遊動空間を残して対象物を収納し、回転体の回転により対象物が回転体上部に上がり落下して対象物の揉捻を行うようにした対象物の揉捻方法である点で一致し、以下の点で相違する。
（１）前者はぜんまいの綿取り揉捻方法であるのに対し、後者は茶葉の揉捻方法である点、
（２）回転体の回転速度が、前者では、対象物が遠心力により回転体上部まで上がり落下することを繰返す速度に制御しているのに対し、後者では特にそのような制御はしていない点、及び
（３）対象物の揉捻を、前者では、対象物の回転体内での落下のみにより行っているのに対し、後者では、主として回転速度の異なる揉手と揉乾胴との速度差により行っている点。
（ロ）相違点（１）についての判断
　茶葉の乾燥機は、中揉機と同様の目的で用いられるものであり（必要ならば、甲第２号証の前記記載事項▲６▼を参照のこと）、前記認定事項（ｈ）、（ｌ）から明らかなように、茶葉の乾燥機をゆでたぜんまいの乾燥、揉捻に用いることは、本願の出願前公然と実施された、あるいは公然知られた事項であると認められる。そして、その際には、回転胴内でのぜんまいの落下により、ぜんまいの綿取りも当然行われることとなるから、茶葉の揉捻方法を、その対象物をぜんまいに変更することにより、ぜんまいの綿取り揉捻方法に変更することは当業者が容易に行うことができたことである。
（ハ）相違点（２）についての判断
　　証人下村皖徹により実施されたぜんまいの乾燥においては、前記認定事項（ｃ）のように回転数を調整する必要がなかったのであり、中揉機の回転胴の回転数をぜんまいが遠心力により回転体上部まで上がり落下することを繰り返す速度に制御していたとは認められないし、しかも、そのような内部でのぜんまいの動きについては、外部から中揉機の運転状態をみただけで当業者が当然理解できるものともいえず、また、そのような回転胴内のぜんまいの状態について証人下村皖徹が第三者に明らかにしたと認定するに足る証拠はない。
　また、証人小笠原茂樹により実施されたぜんまいの乾燥は、前記認定事項（ｉ）（ｍ）によれば、桟によりぜんまいを上方へかき上げるものであって、回転体の回転数をぜんまいが遠心力により回転体上部まで上がり落下することを繰り返す速度に制御しているものではないと認められるし、しかも、そのような回転体内部のぜんまいの状態については、外部から乾燥機の運転状態をみただけで当業者が当然理解できるものともいえず、また、そのようなぜんまいの状態について証人が第三者に明らかにしたと認定するに足る証拠はない。
　したがって、本件発明の構成要件である「回転体の回転速度をぜんまいが遠心力により回転体上部まで上がり落下することを繰返す速度に制御する」ことが本件特許の出願前日本国内において公然と実施されていた事項であると認めることはできないから、この相違点が当業者が容易に想到し得たことであるということはできない。
（ニ）相違点（３）について
　甲第１号証に記載された発明は、回転数の異なる揉手と揉乾胴との速度差により、茶葉を揉捻するものであり、前記記載事項▲４▼から明らかなように、投入した茶葉を揉乾胴の内面に密接して旋転させ、揉手による揉捻を確実にすることを目的とするものである。
　とすれば、例え、製茶中揉機において、揉手を外して使用することが本願の出願前に公然と知られ、あるいは公然と実施されていたとしても、甲第１号証記載の中揉機の揉手を外すことは、揉手と揉乾胴との間での揉捻が行われなくなることであって上記目的に反することであるから、対象物の揉捻を回転体内での落下のみにより行わせるようにすることは、当業者が容易に想到しうる事項であるとはいえない。
（ホ）本件発明の特許性
　そして、本件発明は、上記相違点（２）及び（３）に係る構成をその構成要件として具備することにより、明細書記載の「大量のぜんまいの乾物化を人手を煩わせることなく、単に回転する回転体に収納して通気することにより乾物化に要する全行程を一度に行ってしまう生産能率良好にして天候にも左右されず、乾燥の媒体も自由に選ぶことも出来るなど秀れたぜんまいの綿取り揉捻方法となる。」（明細書１０頁３行〜１１頁３行）という格別の効果を奏するものである。
　したがって、本件発明が、甲第１号証に記載された発明及び公然実施された事実に基づき当業者が容易に発明をすることができたものであるということはできない。
２．甲第２号証の記載事項との比較・判断
　被請求人は、甲第２号証の成立につき不知であるとしているので、まず、この点について検討する。甲第２号証の奥付部分には、「新茶業全書」との書名と共に、改訂版の発行日として「昭和５５年８月１０日」との日付が、また、発行所として「静岡県茶業会議所」との名称が記載されており、特にこれらの記載の真偽やその頒布の有無を疑うべき理由はないから、甲第２号証は、本件特許の出願前に頒布された刊行物であると認められる。
　次に、甲第２号証に記載された事項と本願発明とを比較すると、両者は、少なくとも前記１．（イ）の相違点（１）及び（２）において相違することは明らかであり、前記１．（イ）で述べたと同様の理由により、本願発明が甲第２号証及び公然実施された事実に基づき当業者が容易に発明をすることができたということはできない。
３．以上のことから、理由（１）についての請求人の主張は、採用することはできない。
Ｖ．理由（２）について
　請求人は、本件明細書記載の「乾燥の媒体も自由に選ぶことができる」（公告公報５欄６行参照）との効果は、本件明細書の赤干し、青干し、緑干しに関する記載からみて、天日、紫外線発生燈、焚火の煖と煙、温風のいずれかを選んで回転体を通すことであり、そのためには、回転体は単なる通気可能な回転体ではなく、天日や煙が内部に収納したぜんまいに作用する構成でなければならないが、本件明細書の特許請求の範囲にその記載がなく、発明の構成に欠くことができない事項が記載されていないと主張している。
　そこで、この点について検討すると、「通気可能な回転体」では煙を通すことができないとも、紫外線発生燈により内部を照射することができないともいうことはできず、それらの乾燥媒体を選択することは可能であるから、本願の明細書に記載された効果を奏するに十分な構成が特許請求の範囲に記載されていないとはいえない。
　したがって、理由（２）についての請求人の主張は採用できない。
ＶＩ．むすび
　以上のとおりであるから、請求人の主張する理由及び提出した証拠方法によっては、本件特許を無効にすることはできない。
　よって、結論のとおり審決する。